【手続補正書】
【提出日】平成25年10月4日(2013.10.4)
【手続補正１】
【補正対象書類名】特許請求の範囲
【補正対象項目名】全文
【補正方法】変更
【補正の内容】
【特許請求の範囲】
【請求項１】
３次元ビデオ・ストリームが第２のビデオ・フォーマットに再符号化される際に前記３次元ビデオ・ストリームを視覚的に検査する方法であって、
左眼用ビデオ・ストリームおよび右眼用ビデオ・ストリームを有する復号された３次元ビデオ・ストリームを少なくとも２つの復号されたビデオ・ストリームに分割するステップであって、該少なくとも２つの復号されたビデオ・ストリームの各々が左眼用ビデオ・ストリームおよび右眼用ビデオ・ストリームを有する、前記ステップと、
前記少なくとも２つの分割された３次元ビデオ・ストリームのうちの１つを前記第２のビデオ・フォーマットに再符号化するステップと、
再符号化されていない前記復号された３次元ビデオ・ストリームの左眼用ビデオ・ストリームまたは右眼用ビデオ・ストリームのフレームの少なくとも部分と前記再符号化された３次元ビデオ・ストリームの左眼用ビデオ・ストリームまたは右眼用ビデオ・ストリームのフレームの対応する部分とを合成されたビデオ・フレームに配置するステップであって、該復号された３次元ビデオ・フレームの部分と該対応する再符号化された３次元ビデオ・フレームの部分とが該合成されたビデオ・フレームに共に現れるように該配置するステップと、
前記復号された３次元ビデオ・フレームの部分と前記対応する再符号化された３次元ビデオ・フレームの部分との間の境界のビューに対して操作を行うステップであって、該復号された３次元ビデオ・フレームの部分と該対応する再符号化された３次元ビデオ・フレームの部分との間の該境界上の位置ずれの変化が見えないように、並びに、該復号された３次元ビデオ・フレームの部分と該対応する再符号化された３次元ビデオ・フレームの部分との重なりが見えないように該操作を行うステップと、を含む、前記方法。
【請求項２】
前記操作を行うステップは、前記復号された３次元ビデオ・フレームの部分と前記対応する再符号化された３次元ビデオ・フレームの部分との間の前記境界に垂直の黒色バーを挿入するステップを含む、請求項１に記載の方法。
【請求項３】
前記垂直の黒色のバーの幅は、前記３次元ビデオ・ストリームの前記左眼用のビデオ・ストリームおよび前記右眼用のビデオ・ストリームの対応する各フレーム間の位置ずれの値を使用して決定される、請求項２に記載の方法。
【請求項４】
前記復号された３次元ビデオ・ストリームの部分と前記対応する再符号化された３次元ビデオ・フレームの部分とが合成されたビデオ・フレームにサイドバイサイドで現れるように配置される、請求項１に記載の方法。
【請求項５】
前記復号された３次元ビデオ・フレームの部分は、前記復号された３次元ビデオ・ストリームの前記左眼用ビデオ・ストリームからのビデオ・フレームの少なくとも部分を含むと共に前記対応する再符号化された３次元ビデオ・フレームの部分は、前記対応する再符号化された３次元ビデオ・ストリームの左眼用ビデオ・ストリームからのビデオ・フレームの少なくとも部分を含み、または、前記復号された３次元ビデオ・フレームの部分は、前記復号された３次元ビデオ・ストリームの前記右眼用ビデオ・ストリームからのビデオ・フレームの少なくとも部分を含むと共に前記対応する再符号化された３次元ビデオ・フレームの部分は、前記対応する再符号化された３次元ビデオ・ストリームの右眼用ビデオ・ストリームからのビデオ・フレームの少なくとも部分を含み、前記ビデオ・フレームの各部分は、合成されたビデオ・フレームにサイドバイサイドで現れるように配置される、請求項４に記載の方法。
【請求項６】
前記復号された３次元ビデオ・フレームの部分および対応する再符号化された３次元ビデオ・フレームの部分は、当該ビデオ・フレームの各部分が互いにＹ軸に沿って反転されて見えるように合成されたビデオ・フレームに配置される、請求項１に記載の方法。
【請求項７】
前記復号された３次元ビデオ・ストリームの部分は、前記復号された３次元ビデオ・ストリームの前記左眼用ビデオ・ストリームからのビデオ・フレームの少なくとも部分を含むと共に前記対応する再符号化された３次元ビデオ・フレームの部分は、前記対応する再符号化された３次元ビデオ・ストリームの右眼用ビデオ・ストリームからのビデオ・フレームの少なくとも部分を含み、当該ビデオ・フレームの各部分が互いにＹ軸に沿って反転されて見えるように合成されたビデオ・フレームに配置される、請求項６に記載の方法。
【請求項８】
前記復号された３次元ビデオ・ストリームの部分は、前記復号された３次元ビデオ・ストリームの前記右眼用ビデオ・ストリームからのビデオ・フレームの少なくとも部分を含むと共に前記対応する再符号化された３次元ビデオ・フレームの部分は、前記対応する再符号化された３次元ビデオ・ストリームの左眼用ビデオ・ストリームからのビデオ・フレームの少なくとも部分を含み、当該ビデオ・フレームの各部分が互いにＹ軸に沿って反転されて見えるように合成されたビデオ・フレームに配置される、請求項６に記載の方法。
【請求項９】
前記操作を行うステップは、前記復号された３次元ビデオ・フレームの部分と前記対応する再符号化された３次元ビデオ・フレームの部分との間の境界にオフセットを適用するステップを含む、請求項１に記載の方法。
【請求項１０】
前記オフセットのサイズは、前記３次元ビデオ・ストリームの前記左眼用ビデオ・ストリームと前記右眼用ビデオ・ストリームの対応する各フレームとの間の位置ずれの値を使用して決定される、請求項９に記載の方法。
【請求項１１】
左眼用ビデオ・ストリームおよび右眼用ビデオ・ストリームを含む復号された３次元ビデオ・ストリームが第２のビデオ・フォーマットに再符号化される際に前記３次元ビデオ・ストリームを視覚的に検査する装置であって、
前記復号された３次元ビデオ・ストリームの左眼用ビデオ・ストリームまたは右眼用ビデオ・ストリームのフレームの少なくとも部分および再符号化されている前記復号された３次元ビデオ・ストリームの分割コピーの左眼用ビデオ・ストリームまたは右眼用ビデオ・ストリームのフレームの対応する部分を前記第２のフォーマットで、合成されたビデオ・フレームに配置する手段であって、該復号された３次元ビデオ・フレームの部分と該対応する再符号化された３次元ビデオ・フレームの部分とが該合成されたビデオ・フレームに共に現れるように該配置する手段と、
前記復号された３次元ビデオ・フレームの部分と前記対応する再符号化された３次元ビデオ・フレームの部分との間の境界のビューに対して操作を行う手段であって、該復号された３次元ビデオ・フレームの部分と該対応する再符号化された３次元ビデオ・フレームの部分との間の該境界上の位置ずれの変化が見えないように、並びに、該復号された３次元ビデオ・フレームの部分と該対応する再符号化された３次元ビデオ・フレームの部分との重なりが見えないように該操作を行う手段と、
を備える、前記装置。
【請求項１２】
前記合成されたフレームにおける前記復号された３次元ビデオ・ストリームまたは前記再符号化された３次元ビデオ・ストリームの前記左眼用ビデオ・ストリームまたは前記右眼用ビデオ・ストリームの前記フレームの部分を入れ替える手段をさらに備える、請求項１１に記載の装置。
【請求項１３】
前記入れ替えが、垂直バタフライ分割画面方向の３次元画像の表示における反転された位置ずれを補正するように行われる、請求項１２に記載の装置。
【請求項１４】
３次元ビデオ・ストリームが第２のビデオ・フォーマットに再符号化される際に前記３次元ビデオ・ストリームを視覚的に検査するシステムであって、
左眼用ビデオ・ストリームおよび右眼用ビデオ・ストリームを有する３次元ビデオ・ストリームを復号するビデオ復号器と、
前記復号された３次元ビデオ・ストリームを少なくとも２つの復号された３次元ビデオ・ストリームに分割するストリーム・スプリッタと、
前記少なくとも２つの復号されたビデオ・ストリームのうちの１つを受信し、前記少なくとも２つの復号されたビデオ・ストリームのうちの受信されたビデオ・ストリームを前記第２のビデオ・フォーマットに再符号化する符号化器と、
再符号化されていない前記復号された３次元ビデオ・ストリームの左眼用ビデオ・ストリームまたは右眼用ビデオ・ストリームのフレームの少なくとも部分と前記再符号化された３次元ビデオ・ストリームの左眼用ビデオ・ストリームまたは右眼用ビデオ・ストリームのフレームの対応する部分とを合成されたビデオ・フレームに配置する少なくとも１つのビデオ・ミキサであって、該復号された３次元ビデオ・フレームの部分と該対応する再符号化された３次元ビデオ・フレームの部分とが該合成されたビデオ・フレームに共に現れるように該配置する少なくとも１つのビデオ・ミキサと、
前記復号された３次元ビデオ・フレームの部分と前記対応する再符号化された３次元ビデオ・フレームの部分との間の境界のビューに対して操作を行うレンダラであって、該復号された３次元ビデオ・フレームの部分と該対応する再符号化された３次元ビデオ・フレームの部分との間の該境界上の位置ずれの変化が見えないように、並びに、該復号された３次元ビデオ・フレームの部分と該対応する再符号化された３次元ビデオ・フレームの部分との重なりが見えないように該操作を行うレンダラと、
を備える、前記システム。
【請求項１５】
前記復号された３次元ビデオ・ストリームまたは前記再符号化された３次元ビデオ・ストリームの前記左眼用ビデオ・ストリームまたは前記右眼用ビデオ・ストリームの部分を前記合成されたフレーム内で入れ替えるコミュートをさらに備える、請求項１４に記載のシステム。
【請求項１６】
混合され、レンダリングされた前記ビデオ・フレームの各部分を前記合成されたビデオ・フレーム内に表示する表示装置をさらに備える、請求項１４に記載のシステム。
【手続補正２】
【補正対象書類名】明細書
【補正対象項目名】０００５
【補正方法】変更
【補正の内容】
【０００５】
このような分割画面技術は、２次元コンテンツの場合に良好に機能するものであるが、垂直分割画面モードは、３次元コンテンツを表示する際には様々な欠点を有することがある。より具体的には、分割画面技術が３次元コンテンツに適用されると、画像／画面間の境界で、突然の位置ずれ（ｄｉｓｐａｒｉｔｙ）の変化が表示されることがある。さらに、一方の領域／画像の再構成された３次元画像が他方の領域／画像と重なることがある。またさらに、分割画面技術としてバタフライ・モードが使用される場合には、３次元画像は、反転した位置ずれ（ｉｎｖｅｒｔｅｄ  ｄｉｓｐａｒｉｔｙ）（デプス）を有する。
【手続補正３】
【補正対象書類名】明細書
【補正対象項目名】０００７
【補正方法】変更
【補正の内容】
【０００７】
本発明の一実施形態においては、３次元ビデオ・ストリームが第２のビデオ・フォーマットに再符号化される際に３次元ビデオ・ストリームを視覚的に検査する方法は、
復号された３次元ビデオ・ストリームを少なくとも２つの復号されたビデオ・ストリームに分割するステップと、
少なくとも２つの分割された３次元ビデオ・ストリームのうちの１つを第２のビデオ・フォーマットに再符号化するステップと、
再符号化されていない復号された３次元ビデオ・ストリームのフレームの少なくとも部分および再符号化された３次元ビデオ・ストリームのフレームの対応する部分を合成されたビデオ・フレームに配置し、復号された３次元ビデオ・フレームの部分および対応する再符号化された３次元ビデオ・フレームの部分が合成されたビデオ・フレームに共に現れるようにするステップと、
復号された３次元ビデオ・フレームの部分および対応する再符号化された３次元ビデオ・フレームの部分の間の境界のビューを妨げ、復号された３次元ビデオ・フレームの部分および対応する再符号化された３次元ビデオ・フレームの部分の間の境界上の位置ずれの変化、さらに、復号された３次元ビデオ・フレームの部分および対応する再符号化された３次元ビデオ・フレームの部分の重なりが見えないようにするステップと、を含む。
【手続補正４】
【補正対象書類名】明細書
【補正対象項目名】０００８
【補正方法】変更
【補正の内容】
【０００８】
本発明の代替的な実施形態においては、左眼用ビデオ・ストリームおよび右眼用ビデオ・ストリームを含む復号された３次元ビデオ・ストリームが第２のビデオ・フォーマットに再符号化される際に３次元ビデオ・ストリームを視覚的に検査する装置は、
復号された３次元ビデオ・ストリームの左眼用ビデオ・ストリームまたは右眼用ビデオ・ストリームのフレームの少なくとも部分および再符号化されている復号された３次元ビデオ・ストリームの分割コピーの左眼用ビデオ・ストリームまたは右眼用ビデオ・ストリームのフレームの対応する部分を第２のフォーマットで、合成されたビデオ・フレームに配置し、復号された３次元ビデオ・フレームの部分および対応する再符号化された３次元ビデオ・フレームの部分が合成されたビデオ・フレームに共に現れるようにする手段を含む。さらに、この装置は、復号された３次元ビデオ・フレームの部分および対応する再符号化された３次元ビデオ・フレームの部分の間の境界のビューに対して操作を行い、復号された３次元ビデオ・フレームの部分および対応する再符号化された３次元ビデオ・フレームの部分の間の境界上の位置ずれの変化、さらに、復号された３次元ビデオ・フレームの部分および対応する再符号化された３次元ビデオ・フレームの部分の重なりが見えないようにする手段を含む。
【手続補正５】
【補正対象書類名】明細書
【補正対象項目名】０００９
【補正方法】変更
【補正の内容】
【０００９】
本発明の代替的な実施形態においては、３次元ビデオ・ストリームが第２のビデオ・フォーマットに再符号化される際に３次元ビデオ・ストリームを視覚的に検査するシステムは、
左眼用ビデオ・ストリームおよび右眼用ビデオ・ストリームを有する３次元ビデオ・ストリームを復号するビデオ復号器と、
復号された３次元ビデオ・ストリームを少なくとも２つの復号された３次元ビデオ・ストリームに分割するストリーム・スプリッタと、
少なくとも２つの復号されたビデオ・ストリームのうちの１つを受信し、少なくとも２つの復号されたビデオ・ストリームのうちの受信されたビデオ・ストリームを第２のビデオ・フォーマットに再符号化する符号化器と、
再符号化されていない復号された３次元ビデオ・ストリームの左眼用ビデオ・ストリームまたは右眼用ビデオ・ストリームのフレームの少なくとも部分および再符号化された３次元ビデオ・ストリームの左眼用ビデオ・ストリームまたは右眼用ビデオ・ストリームのフレームの対応する部分を合成されたビデオ・フレームに配置し、復号された３次元ビデオ・フレームの部分および対応する再符号化された３次元ビデオ・フレームの部分が合成されたビデオ・フレームに共に現れるようにする少なくとも１つのビデオ・ミキサと、
復号された３次元ビデオ・フレームの部分および対応する再符号化された３次元ビデオ・フレームの部分の間の境界のビューに対して操作を行い、復号された３次元ビデオ・フレームの部分および対応する再符号化された３次元ビデオ・フレームの部分の間の境界上の位置ずれの変化、さらに、復号された３次元ビデオ・フレームの部分および対応する再符号化された３次元ビデオ・フレームの部分の重なりが見えないようにするレンダラと、を含む。本発明の一実施形態においては、システムは、ビデオ・フレームの混合され、レンダリングされた部分を合成されたビデオ・フレーム内に表示する表示装置をさらに含むことができる。
【手続補正６】
【補正対象書類名】明細書
【補正対象項目名】００１３
【補正方法】変更
【補正の内容】
【００１３】
本発明は、分割画面モードにおける３Ｄコンテンツの表示に関わる表示の問題を解決する方法、装置、およびシステムを有益に提供する。本発明は、主に、２つの画像間の境界で垂直な不透明または黒色のバーまたはスペースを生成することによって位置ずれ誤差（ｄｉｓｐａｒｉｔｙ  ｅｒｒｏｒ）を補正する処理との関連で説明されるが、本発明のこの特定の実施形態を本発明の範囲を限定するように取り扱うべきではない。本発明の開示内容に基づく情報を得た当業者であれば、本発明の概念は、２つ以上の画像間の境界において、実質的に、どのような形、色、方向、または、サイズを有するブロッキング手段またはスペーシング手段を使用しても達成できることが理解できるであろう。
【手続補正７】
【補正対象書類名】明細書
【補正対象項目名】００１６
【補正方法】変更
【補正の内容】
【００１６】
上述したように、分割画面技術は２次元コンテンツの場合に良好に機能するものであるが、垂直分割画面モードは３次元コンテンツを表示する際には様々な欠点を有することがある。より具体的には、分割画面技術が３次元コンテンツに適用されると、画像／画面間の境界で、突然の位置ずれの変化が表示されることがある。さらに、一方の領域／画像の再構成された３次元画像が他方の領域／画像と重なることがある。例として、図３Ａは、３Ｄシーケンスの左右の原フレームの表示の代表的な図を描いており、図３Ｂは、図３Ａの３Ｄシーケンスの左右の原フレームを符号化したバージョンの表示の代表的な図を描いている。
【手続補正８】
【補正対象書類名】明細書
【補正対象項目名】００１７
【補正方法】変更
【補正の内容】
【００１７】
このようなシーケンスを比較するために、コンテンツは、垂直の分割画面方向に配置することができる。例として、図４Ａは、従来技術に係る分割画面技術に従って垂直分割画面方向に表示される図３Ａの３Ｄシーケンスの左右の原フレームおよび図３Ｂの３Ｄシーケンスの左右の原フレームを符号化したバージョンの代表的な図を描いている。即ち、図４Ａにおいて、３Ｄシーケンスの左側の原フレームの画像は、３Ｄシーケンスの左側の符号化されたフレームの画像と共に、垂直分割画面方向に表示されており、３Ｄシーケンスの右側の原フレームの画像は、３Ｄシーケンスの右側の符号化されたフレームの画像と共に、垂直分割画面方向に表示されている。図４Ａに描かれているように、３Ｄシーケンスの左側の原フレームの再構成された３次元画像は、３Ｄシーケンスの左側の符号化されたフレームの画像と重なっている。同様のことが３Ｄシーケンスの右側の原フレームの画像と３Ｄシーケンスの右側の符号化されたフレームの画像にも当てはまる。図４Ａから、さらに、画像間の画像／画面間の境界で、突然の位置ずれの変化が表示されていることが理解できるであろう。
【手続補正９】
【補正対象書類名】明細書
【補正対象項目名】００１８
【補正方法】変更
【補正の内容】
【００１８】
垂直バタフライ分割画面技術の適用に関わる問題が図４Ｂに例示されている。例として、図４Ｂは、従来技術に係る分割画面技術に従って垂直バタフライ分割画面方向に表示される図３Ａの３Ｄシーケンスの左右の原フレームおよび図３Ｂの３Ｄシーケンスの左右の原フレームを符号化したバージョンの代表的な図を描いている。即ち、図４Ｂにおいて、３Ｄシーケンスの左側の原フレームの画像は、３Ｄシーケンスの左側の符号化された画像と共に、垂直バタフライ分割画面方向に表示されており、３Ｄシーケンスの右側の原フレームの画像は、３Ｄシーケンスの右側の符号化された画像と共に、垂直バタフライ分割画面方向に表示されている。図４Ｂに描かれているように、３Ｄシーケンスの左側の原フレームの再構成された３次元画像のデプスは、３Ｄシーケンスの左側の符号化されたフレームの画像に対して反転されている。同様のことが３Ｄシーケンスの右側の原フレームの画像と３Ｄシーケンスの右側の符号化されたフレームの画像にも当てはまる。より具体的には、分割画面技術のためにバタフライ・モードが使用される場合には、３次元画像は反転された位置ずれ（デプス）を有する。
【手続補正１０】
【補正対象書類名】明細書
【補正対象項目名】００１９
【補正方法】変更
【補正の内容】
【００１９】
本発明の一実施形態においては、従来技術に係る垂直分割画面技術の上述した欠点に対処するために、より具体的には、垂直分割画面技術の境界上の位置ずれに最終的に突然の変化が生ずることを避けるために、さらに、一方の領域と他方の領域とが重なることを避けるために、発明者は、表示された画像間の境界上に垂直なバーをレンダリングにより生成することを提案する。例として、図５Ａは、本発明の実施形態に係る分割画面技術に従って垂直分割画面方向に表示される図３Ａの３Ｄシーケンスの左右の原フレームおよび図３Ｂの３Ｄシーケンスの左右の原フレームを符号化したバージョンの代表的な図を描いている。即ち、図５Ａにおいて、３Ｄシーケンスの左側の原フレームの画像は、３Ｄシーケンスの左側の符号化された画像と共に、垂直分割画面方向に表示されており、３Ｄシーケンスの右側の原フレームの画像は、３Ｄシーケンスの右側の符号化されたフレームの画像と共に、垂直分割画面方向に表示されている。図５Ａに描かれているように、垂直の黒色バーが原画像と符号化されたフレームの画像との間の境界に置かれ、３Ｄシーケンスの左／右の原フレームの画像と３Ｄシーケンスの左／右の符号化されたフレームの画像との間での重なりのビューを妨げるようにしている。
【手続補正１１】
【補正対象書類名】明細書
【補正対象項目名】００２０
【補正方法】変更
【補正の内容】
【００２０】
本発明の概念に従って、さらに、図５Ａの実施形態の垂直な黒色バーが３Ｄシーケンスの左側／右側の原フレームの画像と３Ｄシーケンスの左側／右側の符号化されたフレームの画像との間の境界における突然の位置ずれの変化のビューを妨げるように使用される。
【手続補正１２】
【補正対象書類名】明細書
【補正対象項目名】００２１
【補正方法】変更
【補正の内容】
【００２１】
本発明の一実施形態においては、３Ｄコンテンツの２つのソースの左右のビューの間の位置ずれの値を使用して、本発明の垂直バーの厚さ（ｔｈｉｃｋｎｅｓｓ）が判定される。本発明の代替的な実施形態においては、本発明の垂直なバーの厚さは、ユーザによって、ユーザにとって利用可能な複数の厚さの中から選択される。例えば、本発明のこのような実施形態においては、ユーザは、本発明の垂直バーの厚さとして、５０画素の厚さ、１００画素の厚さ、または、１５０画素の厚さのうちから選択することができる。
【手続補正１３】
【補正対象書類名】明細書
【補正対象項目名】００２２
【補正方法】変更
【補正の内容】
【００２２】
本発明の代替的な実施形態においては、従来技術に係る垂直分割画面技術の上述した欠点に対処するために、具体的には、垂直分割画面技術の境界上の位置ずれに最終的に突然の変化が表示されることを避けるために、さらに、一方の領域が他方の領域と重なることを避けるために、発明者は、２つの画像間の境界にレンダリングによりオフセットを生じさせることを提案する。より具体的には、本発明の代替的な実施形態においては、図５Ａの実施形態の場合のような画像間の境界上に垂直バーをレンダリングにより生成する代わりに、２つの画像間の境界でオフセットを使用することができる。図５Ａの実施形態と同様に、本明細書において説明するこのような本発明の実施形態においては、本発明の画像間のオフセットのサイズを３Ｄコンテンツの２つのソースの左右のビューの間の位置ずれの値を使用して決定することができる。本発明の代替的な実施形態においては、本発明のオフセットのサイズは、ユーザによって、ユーザにとって利用可能な複数のオフセットのサイズから選択することができる。例えば、本発明のこのような実施形態においては、ユーザは、本発明のオフセットのサイズとして、５０画素のオフセットのサイズ、１００画素のオフセットのサイズ、または、１５０画素のオフセットのサイズのうちから選択することができる。
【手続補正１４】
【補正対象書類名】明細書
【補正対象項目名】００２３
【補正方法】変更
【補正の内容】
【００２３】
本発明の一実施形態においては、従来技術に係る垂直バタフライ分割画面技術の上述した欠点に対処するために、より具体的には、３次元画像間の反転された位置ずれ（デプス）を補正するために、発明者は、バタフライ効果を有するソースの左右のビューを入れ替えることを提案する。例として、図５Ｂは、本発明の実施形態に従って垂直バタフライ分割画面方向に表示される図３Ａの３Ｄシーケンスの左右の原フレームおよび図３Ｂの３Ｄシーケンスの左右の原フレームを符号化したバージョンの代表的な図を描いている。即ち、図５Ｂに描かれているように、３Ｄシーケンスの左側の原フレームの画像は、３Ｄシーケンスの右側の符号化されたフレームの画像と共に垂直分割画面方向に表示され、３Ｄシーケンスの右側の原フレームの画像は、３Ｄシーケンスの左側の符号化されたフレームの画像と共に垂直分割画面方向に表示される。発明者は、このような方向により、垂直バタフライ分割画面方向での３次元画像の表示における反転した位置ずれ（デプス）が補正されることを発見した。
【手続補正１５】
【補正対象書類名】明細書
【補正対象項目名】００２８
【補正方法】変更
【補正の内容】
【００２８】
画像が垂直バタフライ分割画面モードで表示されるような場合には、図６の装置／システム６００のオプションのコミュート装置６５０が使用される。より具体的には、本発明のコミュート装置６５０が使用され、上述したような垂直バタフライ分割画面方向の３次元画像の表示における反転した位置ずれ（デプス）を補正するためにコンテンツのソースのうちの少なくとも１つの左側のビューと右側のビューとが入れ替えられる。
【手続補正１６】
【補正対象書類名】明細書
【補正対象項目名】００３５
【補正方法】変更
【補正の内容】
【００３５】
ステップ８０８において、復号された３次元ビデオ・フレームの部分および対応する再符号化された３次元ビデオ・フレームの部分の間の境界のビューを操作し、復号された３次元ビデオ・フレーム部分と対応する再符号化された３次元ビデオ・フレーム部分との間の境界上の位置ずれの変化、さらに、フレーム部分の重なりが見えないようにする。本発明の一実施形態では、この操作は、復号された３次元ビデオ・フレーム部分と対応する再符号化された３次元ビデオ・フレーム部分との間の境界に垂直なバーを挿入するステップを含む。本発明の代替的な実施形態においては、この操作は、復号された３次元ビデオ・フレーム部分と対応する再符号化された３次元ビデオ・フレーム部分との間の境界にオフセットを適用するステップを含む。ここで、方法８００は、終了する。